(57)【要約】【課題】敷地の周囲等に揚重機を設置するためのスペースが少ない場合においても、工期短縮を図りながら安価に建物の躯体構築を行うことを可能とする躯体の構築方法を提供すること。【解決手段】複数階を有する建物の躯体構築を行うに際して、構築されるべき躯体１００を横方向に複数の、それぞれ異なる工程によって最下階から最上階まで縦方向に順次施工されるユニット１００ａ〜１００ｆに仮分割する。そして、それぞれのユニット１００ａ〜１００ｆの縦方向の施工を、これらユニット１００ａ〜１００ｆが横方向に順次隣接する状態としながら行う。なお、躯体としては、鉄筋コンクリート造の他、鉄骨造、あるいは、梁が鉄骨、柱がＰＣａ部材のようなハイブリッド構造のものも考えられる。【選択図】      図１
2004169357.tif 000002
【特許請求の範囲】
【請求項１】
複数階を有する建物の躯体構築を行うに際して、構築されるべき躯体を横方向に複数の、それぞれ異なる工程によって最下階から最上階まで縦方向に順次施工されるユニットに仮分割し、
それぞれのユニットの縦方向の施工を、これらユニットが横方向に順次隣接する状態としながら行うことで、前記躯体構築を行うことを特徴とする躯体の構築方法。
【請求項２】
前記躯体は、ＰＣａ部材から構成される鉄筋コンクリート造であることを特徴とする請求項１に記載の躯体の構築方法。
【請求項３】
一のユニットに隣接する別のユニットの施工を、前記一のユニットの最上階までの施工が完了してから開始することを特徴とする請求項１又は請求項２に記載の躯体の構築方法。
【請求項４】
一のユニットに隣接する別のユニットの施工を、前記一のユニットの最上階までの施工が完了する前に開始することを特徴とする請求項１又は請求項２に記載の躯体の構築方法。
【発明の詳細な説明】
【０００１】
【発明の属する技術分野】
本発明は、複数階を有する建物の躯体の構築方法に関するものである。
【０００２】
【従来の技術】
鉄筋コンクリート造の建物の躯体構築を行う方法としては、従来から、コンクリートを現場打設するいわゆる在来工法やＰＣａ化工法が知られている。特許文献１等に示すＰＣａ化工法の場合、工場生産されたＰＣａ部材を揚重機で吊り上げて所定位置に配設しながら躯体構築ができるので、在来工法に比して工期が短縮できるという利点がある。
【０００３】
【特許文献１】
特開２００１−２７９８１１号公報、段落［０００８］〜［００１７］
【０００４】
【発明が解決しようとする課題】
複数階を有する鉄筋コンクリート造の建物の躯体構築を、最下階から最上階に向けて行う際には、一般に、下階の全域に渡っての施工が完了した後に、上階の施工が開始される。したがって、ＰＣａ化工法によって躯体構築が行われる場合、ＰＣａ部材を所定位置まで吊り上げるための揚重機は、一般に躯体の周囲で近接した位置に設置される。
【０００５】
ところで、都市部においては、敷地一杯を使っての建物の設計がなされる場合が多く、これに加えて敷地に隣接する道路が狭い場合も多い。したがって、ＰＣａ化工法を用いて建物の躯体構築を行うことを考えた場合、揚重機の設置スペースが少ないという問題がある。
【０００６】
したがって、都市部におけるＰＣａ化工法を用いた躯体構築においては、躯体の内部や躯体の辺部に揚重機の設置がなされる場合がある。躯体の内部の場合、揚重機が設置された部分は後施工されることになり、これにより、工期が延びて工期短縮の効果が十分に得られない。躯体の辺部の場合は、揚重機の本体と施工箇所との水平距離は一般に大きくなり、また、ＰＣａ部材は一般に荷重が大きいため、揚重能力の大きい揚重機が必要となって揚重機の設置コストが大きくなる。
【０００７】
したがって、都市部における鉄筋コンクリート造の建物の躯体構築には、揚重機の設置コスト等の問題からＰＣａ化工法が採用できない場合や、採用しても工期短縮の効果が薄い場合がある。この場合、在来工法を採用すると工期短縮を図ることはさらに困難となる。
【０００８】
本発明の課題は、敷地の周囲等に揚重機を設置するためのスペースが少ない場合においても、工期短縮を図りながら安価に建物の躯体構築を行うことを可能とする躯体の構築方法を提供することである。
【０００９】
【課題を解決するための手段】
以上の課題を解決するために、請求項１に記載の発明は、例えば図１、図３〜図１１、図１３、図１４に示すように、
複数階を有する建物の躯体構築を行うに際して、構築されるべき躯体（１００、２００、３００）を横方向に複数の、それぞれ異なる工程によって最下階から最上階まで縦方向に順次施工されるユニット（１００ａ〜１００ｆ、２００ａ〜１００ｅ、３００ａ〜３００ｆ）に仮分割し、
それぞれのユニット（１００ａ〜１００ｆ、２００ａ〜１００ｅ、３００ａ〜３００ｆ）の縦方向の施工を、これらユニット（１００ａ〜１００ｆ、２００ａ〜１００ｅ、３００ａ〜３００ｆ）が横方向に順次隣接する状態としながら行うことで、前記躯体構築を行うことを特徴としている。
【００１０】
請求項１に記載の発明によれば、構築されるべき躯体が横方向に仮分割された複数のユニットが、横方向に順次隣接する状態に、それぞれ異なる工程によって最下階から最上階まで縦方向に順次施工されることで複数階を有する建物の躯体構築がなされる。
【００１１】
これにより、例えば、鉄筋コンクリート造の建物の躯体をＰＣａ化工法によって構築することを考えた場合、ＰＣａ化工法において用いられる揚重機を設置するためのスペースが、後工程で施工されるユニットが位置する部分に確保される。ユニットは、横方向に順次隣接した状態に施工されるので、このスペースは順次位置を代えながら躯体構築の完了まで、施工箇所に近接した位置に確保されることになる。これにより、揚重機の能力を小さくでき、揚重機の設置コストも低減することができる。
【００１２】
また、それぞれのユニットは、最下階から最上階まで順次施工されるので、躯体に対しての仕上工事も躯体工事を追いかけるようにして順次行うことができる。したがって、仕上工事に早期に着手することができるとともに、躯体が構築された後の仕上工事の量を少なくすることができ、これにより、早期に仕上工事を完了することできる。
【００１３】
したがって、鉄筋コンクリート造の建物の躯体構築を、敷地の周囲等に揚重機を設置するためのスペースが少ない場合においても、ＰＣａ化工法を用いて工期短縮を図りながら安価に行うことができる。
【００１４】
なお、躯体としては、鉄筋コンクリート造の他、鉄骨造、あるいは、梁が鉄骨、柱がＰＣａ部材のようなハイブリッド構造のものも考えられる。鉄骨造やハイブリッド構造の躯体においても、本発明の躯体の構築方法を適用できることは勿論である。
【００１５】
なお、建物の柱間隔は、一般にスパンと呼ばれる。前記したユニットは、１スパンとしてもよいし、例えば、複数スパンとしてもよい。
【００１６】
請求項２に記載の発明は、例えば図１、図２、図４〜図１１に示すように、請求項１に記載の躯体の構築方法において、
前記躯体（１００）は、ＰＣａ部材（ＰＣａ柱１０ａ、ＰＣａ梁１０ｂ、ＰＣａ床１０ｃ、ＰＣａ外壁１０ｄ、ＰＣａ戸境壁１０ｅ）から構成される鉄筋コンクリート造であることを特徴としている。
【００１７】
請求項２に記載の発明によれば、前記躯体をＰＣａ部材とすることで、鉄筋コンクリート造の建物の構築を、在来工法によって行う場合に比して工期短縮を図りながら行うことができる。
【００１８】
請求項３に記載の発明は、例えば図１、図３〜図１１に示すように、請求項１又は請求項２に記載の躯体の構築方法において、
一のユニット（１００ａ〜１００ｅ）に隣接する別のユニット（１００ｂ〜１００ｆ）の施工を、前記一のユニット（１００ａ〜１００ｅ）の最上階までの施工が完了してから開始することを特徴としている。
【００１９】
請求項３に記載の発明によれば、一のユニットに隣接する別のユニットの施工が、前記一のユニットの最上階までの施工が完了してから開始される。したがって、一のユニットに隣接する別のユニットの施工が、前記一のユニットの最上階までの施工が完了する前に開始される場合に比して、施工されるユニットと揚重機との水平距離を小さくすることができる。したがって、揚重機の能力をさらに小さくすることができ、これにより、揚重機の設置コストをさらに低減することができる。
【００２０】
請求項４に記載の発明は、請求項１又は請求項２に記載の躯体の構築方法において、
一のユニットに隣接する別のユニットの施工を、前記一のユニットの最上階までの施工が完了する前に開始することを特徴としている。
【００２１】
請求項４に記載の発明によれば、一のユニットに隣接する別のユニットの施工が、前記一のユニットの最上階までの施工が完了する前に開始される。したがって、一のユニットに隣接する別のユニットの施工が、前記一のユニットの最上階までの施工が完了してから開始される場合に比して、躯体構築時の地震や風に対する安全性が高まる。
【００２２】
【発明の実施の形態】
本発明の躯体の構築方法を、図１〜図１４を参照して詳細に説明する。
図１等において符号１００は、ＰＣａ部材によって構成される鉄筋コンクリート造のマンションの躯体を示す。このマンションの躯体１００は、図１１等に示すように、長辺方向に６スパンであり、短辺方向に２スパンである。
【００２３】
本発明に係るマンションの躯体１００は、図１に示すように、１スパン毎に構築されるものである。すなわち、躯体１００は、その構築がなされるにあたって、横方向に６つに、それぞれ異なる工程によって１階から８階まで順次施工されるユニット１００ａ〜１００ｆに仮分割される。そして、これらユニット１００ａ〜１００ｆが、躯体１００の一端部側から他端部側に向けて、横方向に順次隣接した状態に施工されることで、躯体１００の構築がなされるものである。
【００２４】
なお、図１において、符号１は躯体１００をの構成部材を所定位置まで揚重するためのクレーンｃ１を示す。このクレーンｃ１はトラス部材等によって現場で組み立てられるものであり、躯体１００の長辺方向に沿って移動することで、順次、ユニット１００ａ〜１００ｆに近接した状態に位置することが可能である。すなわち、このクレーンｃ１の本体と施工箇所との水平距離を小さくすることができるため、このクレーンｃ１の揚重能力を小さく構成し、設置コストを低減することができるようになっている。なお、揚重機としては、図１に示すような現場組み立てのクレーンｃ１に限定されるものではなく、例えば、図４等に示すクローラクレーン、その他、タワークレーン、トラッククレーン等、様々なものを用いることができる。
【００２５】
図２は、マンションの一つの住戸１０を示す断面図である。図２に示すように住戸１０は、ＰＣａ柱１０ａ、ＰＣａ梁１０ｂ、ＰＣａ床１０ｃ、ＰＣａ外壁１０ｄ、ＰＣａ戸境壁１０ｅ、間仕切パネル１０ｆ等から構成され、これらのうちのＰＣａ柱１０ａとＰＣａ梁１０ｂとは、例えばＰＣ鋼棒を用いた圧着工法によって互いに連結されている。
【００２６】
なお、ＰＣａ部材のうち、ＰＣａ柱１０ａとＰＣａ梁１０ｂとには、ＰＣ鋼線が管に挿通された状態にコンクリート中に埋め込まれている。ＰＣａ柱１０ａやＰＣａ梁１０ｂが所定位置に設置された後、ＰＣ鋼線を緊張することでコンクリートに圧縮力が導入された状態となり、ＰＣａ柱１０ａやＰＣａ梁１０ｂが緊結される。
【００２７】
また、ＰＣａ床１０ｃの上部には、２重床１０ｃ１が敷設されており、これによって、防音、防寒がなされている。また、天井１０ｇも２重天井となっており、同様に、防音、防寒がなされている。
【００２８】
以下に、躯体１００の構築について、図３、図４〜図１１を参照しながら詳細に説明する。
【００２９】
マンションの建設は、図３に示す工程で行われる。すなわち、先ず、仮囲設置等の所定準備の後、杭工事が行われる。杭工事の完了の後、地中梁配筋のためのスペースを確保するために掘削工事が行われる。確保されたスペースを利用して基礎・地中梁配筋、１Ｆ床配筋が行われ、１Ｆ床までコンクリートが現場打設される。以上の工程を完了するまで、約３ヶ月を要する。
【００３０】
次に、図４に示すように、先ず、一端部側に位置するスパンにおいて、ユニット１００ａの１Ｆから８Ｆに向けての施工が開始される。すなわち、先ず、ユニット１００ａに近接した位置にクローラクレーンｃ２を設置する。そして、このクローラクレーンｃ２によってＰＣａ部材を揚重して所定位置に配設することで、ユニット１００ａの施工がなされる。詳細には、１Ｆ床〜３Ｆ床を超えた位置まで連通する１・２ＦのＰＣａ柱１０ａが１Ｆ床に設置され、２Ｆ床レベルには、ＰＣａ梁１０ｂが設置された後、ＰＣａ床１０ｃが設置される。なお、ＰＣａ部柱１０ａとＰＣａ梁１０ｂ材との連結は、例えばＰＣ鋼棒を用いた圧着工法によって行われる。また、ＰＣａ柱１０ａは、倒れ防止のために互いにワイヤ１０ｈ等によって緊結される。
【００３１】
次に、図５に示すように、ユニット１００ａにおいて、３Ｆ床レベルにＰＣａ梁１０ｂが設置され、その後、ＰＣａ床１０ｃが設置される。そして、設置された１・２ＦのＰＣａ柱１０ａにおけるＰＣ鋼線の緊張がなされた後、図６に示すように、５Ｆ床を超える位置まで連通する３・４ＦのＰＣａ柱１０ａが設置される。このように略２ＦごとにＰＣａ部材を設置することで、図７に示すように、８Ｆまでのユニット１００ａの施工が完了する。
【００３２】
なお、ユニット１００ａは、最下階から最上階まで順次施工されるので、躯体に対しての仕上工事も躯体工事を追いかけるようにして順次行うことができる。したがって、仕上工事に早期に着手することができる。また、最終的に躯体が構築された後の仕上工事の量を少なくすることができ、これにより、早期に仕上工事を完了することできるようになっている。
【００３３】
ユニット１００ａの施工が完了した後、図８に示すように、ユニット１００ａに隣接させた状態に、ユニット１００ｂをユニット１００ａと同様の方法で１Ｆから８Ｆに向けて施工し、図９に示すように施工を完了させる。
【００３４】
ユニット１００ｂの施工が完了した後、図１０に示すように、ユニット１００ｂに隣接させた状態に、ユニット１００ｃを、ユニット１００ａ、１００ｂと同様の方法で１Ｆから８Ｆに向けて施工する。
【００３５】
以上のようにして、ユニット１００ａ〜１００ｆまで、施工を完了させることで、マンションの躯体１００の構築を行うことができる。
【００３６】
なお、図３に示す本発明に係る躯体の構築方法を用いたマンション建設の全体工程表と、図１２に示す在来工法を用いたマンション建設のための全体工程表とから明らかなように、従来に比して、約２．５ヶ月の工期短縮が可能となっている。
【００３７】
以上、本実施の形態によれば、以下のような効果を得ることができる。
【００３８】
▲１▼ＰＣａ部材から構成される鉄筋コンクリート造の、構築されるべき躯体１００が横方向に仮分割された複数のユニット１００ａ〜１００ｆが、横方向に順次隣接する状態に、それぞれ異なる工程によって最下階から最上階まで縦方向に順次施工されることで建物の躯体構築がなされる。
【００３９】
これにより、クレーンｃ１、クローラクレーンｃ２を設置するためのスペースが、後工程で施工されるユニット１００ｂ〜１００ｆが位置する部分に確保される。ユニット１００ｂ、１００ｆは、横方向に順次隣接した状態に施工されるので、このスペースは順次位置を代えながら躯体構築の完了まで、施工箇所に近接した位置に確保されることになる。これにより、クレーンｃ１、クローラクレーンｃ２の能力を小さくでき、クレーンｃ１、クローラクレーンｃ２の設置コストも低減することができる。
【００４０】
また、それぞれのユニット１００ａ〜１００ｆは、最下階から最上階まで順次施工されるので、躯体に対しての仕上工事も躯体工事を追いかけるようにして順次行うことができる。したがって、仕上工事に早期に着手することができるとともに、躯体が構築された後の仕上工事の量を少なくすることができ、これにより、早期に仕上工事を完了することできる。
【００４１】
したがって、鉄筋コンクリート造の建物の躯体構築を、敷地の周囲等にクレーンｃ１、クローラクレーンｃ２を設置するためのスペースが少ない場合においても、ＰＣａ化工法を用いて工期短縮を図りながら安価に行うことができる。
【００４２】
▲２▼一のユニット１００ａ〜１００ｅに隣接する別のユニット１００ｂ〜１００ｆの施工が、前記一のユニット１００ａ〜１００ｅの最上階までの施工が完了してから開始される。したがって、一のユニット１００ａ〜１００ｅに隣接する別のユニット１００ｂ〜１００ｆの施工が、前記一のユニット１００ａ〜１００ｅの最上階までの施工が完了する前に開始される場合に比して、施工されるユニット１００ａ〜１００ｆとクレーンｃ１、クローラクレーンｃ２との水平距離を小さくすることができる。したがって、クレーンｃ１、クローラクレーンｃ２の能力をさらに小さくすることができ、これにより、クレーンｃ１、クローラクレーンｃ２の設置コストをさらに低減することができる。
【００４３】
なお、本発明に係る建物躯体の構築工法は、本実施の形態に限定されることなく、本発明の主旨を逸脱しない範囲において種々の改良並びに設計の変更を行っても良い。
【００４４】
例えば、本実施の形態においては、一のユニット１００ａ〜１００ｅに隣接する別のユニット１００ｂ〜１００ｆの施工が、前記一のユニット１００ａ〜１００ｅの最上階までの施工が完了する前に開始されているが、一のユニット１００ａ〜１００ｅに隣接する別のユニット１００ｂ〜１００ｆの施工を、前記一のユニット１００ａ〜１００ｅの最上階までの施工が完了する前に開始する構成としてもよい。この構成によれば、一のユニット１００ａ〜１００ｅに隣接する別のユニット１００ｂ〜１００ｆの施工が、前記一のユニット１００ａ〜１００ｅの最上階までの施工が完了してから開始される場合に比して、躯体構築時の地震や風に対する安全性が高まる。
【００４５】
また、本実施の形態においては、マンションの躯体１００の構築を、躯体１００の一端部側から他端部側に向けて一方向に行っているが、例えば、躯体１００の最初の構築位置を躯体１００の中央部付近とし、この位置から両端部に向けて２方向に行ってもよい。
【００４６】
さらに、本実施の形態においては、躯体１００は平面視矩形であり、それぞれのユニット１００ａ〜１００ｆが一端部側から他端部側に向けて順次隣接した状態に施工されることで、躯体１００の構築がなされている。
【００４７】
しかしながら、例えば図１３（ａ）〜図１３（ｃ）に示すように、平面視矩形の躯体２００を構築する場合には、先ず、中央部に位置するユニット２００ｃを施工し、この２００ｃに隣接させた状態にユニット２００ｂ、２００ｄを施工し、これらに隣接させた状態にユニット２００ａ、２００ｅを施工してもよい。
【００４８】
あるいは、例えば図１４（ａ）〜図１４（ｃ）に示すように、平面視略Ｌ字の躯体３００を構築する場合には、先ず、中央部に位置するユニット３００ｃを施工し、この３００ｃに隣接させた状態にユニット３００ｂ、３００ｄを施工し、これらに隣接させた状態にユニット３００ａ、３００ｅを施工し、最後に３００ｆを施工してもよい。
【００４９】
【発明の効果】
請求項１に記載の発明によれば、例えば、鉄筋コンクリート造の建物の躯体をＰＣａ化工法によって構築することを考えた場合、ＰＣａ化工法において用いられる揚重機を設置するためのスペースが、後工程で施工されるユニットが位置する部分に確保される。ユニットは、横方向に順次隣接した状態に施工されるので、このスペースは順次位置を代えながら躯体構築の完了まで、施工箇所に近接した位置に確保されることになる。これにより、揚重機の能力を小さくでき、揚重機の設置コストも低減することができる。
【００５０】
また、それぞれのユニットは、最下階から最上階まで順次施工されるので、躯体に対しての仕上工事も躯体工事を追いかけるようにして順次行うことができる。したがって、仕上工事に早期に着手することができるとともに、躯体が構築された後の仕上工事の量を少なくすることができ、これにより、早期に仕上工事を完了することできる。
【００５１】
したがって、鉄筋コンクリート造の建物の躯体構築を、敷地の周囲等に揚重機を設置するためのスペースが少ない場合においても、ＰＣａ化工法を用いて工期短縮を図りながら安価に行うことができる。
【００５２】
請求項２に記載の発明によれば、請求項１に記載の発明と同様の効果が得られることは勿論のこと、前記躯体をＰＣａ部材とすることで、鉄筋コンクリート造の建物の構築を、在来工法によって行う場合に比して工期短縮を図りながら行うことができる。
【００５３】
請求項３に記載の発明によれば、請求項１又は請求項２に記載の発明と同様の効果が得られることは勿論のこと、一のユニットに隣接する別のユニットの施工が、前記一のユニットの最上階までの施工が完了する前に開始される場合に比して、施工されるユニットと揚重機との水平距離を小さくすることができる。したがって、揚重機の能力をさらに小さくすることができ、これにより、揚重機の設置コストをさらに低減することができる。
【００５４】
請求項４に記載の発明によれば、請求項１又は請求項２に記載の発明と同様の効果が得られることは勿論のこと、一のユニットに隣接する別のユニットの施工が、前記一のユニットの最上階までの施工が完了してから開始される場合に比して、躯体構築時の地震や風に対する安全性が高まる。
【図面の簡単な説明】
【図１】本発明に係る躯体の構築方法を用いて、マンションの躯体構築をしている状況を示す斜視図である。
【図２】本発明に係る躯体の構築方法を用いて、躯体が構築されるマンションの部屋の一例を示す透視図である。
【図３】本発明に係る躯体の構築方法を用いたマンション建設のための全体工程表を示す図である。
【図４】本発明に係る躯体の構築方法を用いたマンションの躯体構築の一工程を示す、（ａ）は平面図、（ｂ）は側面図、（ｃ）は斜視図である。
【図５】本発明に係る躯体の構築方法を用いたマンションの躯体構築の一工程を示す、（ａ）は平面図、（ｂ）は側面図、（ｃ）は斜視図である。
【図６】本発明に係る躯体の構築方法を用いたマンションの躯体構築の一工程を示す、（ａ）は平面図、（ｂ）は側面図、（ｃ）は斜視図である。
【図７】本発明に係る躯体の構築方法を用いたマンションの躯体構築の一工程を示す、（ａ）は平面図、（ｂ）は側面図、（ｃ）は斜視図である。
【図８】本発明に係る躯体の構築方法を用いたマンションの躯体構築の一工程を示す、（ａ）は平面図、（ｂ）は側面図、（ｃ）は斜視図である。
【図９】本発明に係る躯体の構築方法を用いたマンションの躯体構築の一工程を示す、（ａ）は平面図、（ｂ）は側面図、（ｃ）は斜視図である。
【図１０】本発明に係る躯体の構築方法を用いたマンションの躯体構築の一工程を示す、（ａ）は平面図、（ｂ）は側面図、（ｃ）は斜視図である。
【図１１】本発明に係る躯体の構築方法を用いたマンションの躯体構築の一工程を示す、（ａ）は平面図、（ｂ）は側面図、（ｃ）は斜視図である。
【図１２】在来工法を用いたマンション建設のための全体工程表を示す図である。
【図１３】（ａ）〜（ｃ）ともに、本発明に係る躯体の構築方法を用いて建物の躯体が構築される過程を示す平面図である。
【図１４】（ａ）〜（ｃ）ともに、本発明に係る躯体の構築方法を用いて建物の躯体が構築される過程を示す平面図である。
【符号の説明】
１００                躯体
１００ａ〜１００ｆ  ユニット
１０ａ              ＰＣａ柱（ＰＣａ部材）
１０ｂ              ＰＣａ梁（ＰＣａ部材）
１０ｃ              ＰＣａ床（ＰＣａ部材）
１０ｄ              ＰＣａ外壁（ＰＣａ部材）
１０ｅ              ＰＣａ戸境壁（ＰＣａ部材）
２００                躯体
２００ａ〜２００ｅ  ユニット
３００                躯体
３００ａ〜３００ｆ  ユニット
【図１】
2004169357.tif 000003
【図２】
2004169357.tif 000004
【図３】
2004169357.tif 000005
【図４】
2004169357.tif 000006
【図５】
2004169357.tif 000007
【図６】
2004169357.tif 000008
【図７】
2004169357.tif 000009
【図８】
2004169357.tif 000010
【図９】
2004169357.tif 000011
【図１０】
2004169357.tif 000012
【図１１】
2004169357.tif 000013
【図１２】
2004169357.tif 000014
【図１３】
2004169357.tif 000015
【図１４】
2004169357.tif 000016